(57)【要約】【課題】アイキャッチ効果と製品への訴求効果とを同時に得られる什器を提供する。【解決手段】上半身部２、下半身部３、足部４、上半身補強芯５、および下半身補強芯６を有する什器１である。上半身部２は、２枚のボード８、１０の背面の両側部と上部とが接続部材１７によって互いに接続されて形成される上半身補強芯挿入部１４を有し、下半身部３は、２枚のボード１１、１２の背面の両側部と底部とが接続部材１７によって互いに接続されて形成される下半身補強芯挿入部１５を有している。足部４は、幅方向に延びる柱状であり、奥行き方向に切断した断面が台形であり、台形の上底部分から下底に向かって、溝が形成されている。上半身補強芯５と下半身補強芯６は、板状である。上半身部２と下半身部３とを重ねたときの接合面よりも、下半身補強芯挿入部１５に挿入した状態の下半身補強芯６に上半身補強芯５を重ねたときの接合面の方が下になっている。【選択図】図２
2012090793.tif 000002
【特許請求の範囲】
【請求項１】
上半身部、下半身部、足部、上半身補強芯、および下半身補強芯が設けられた什器であって、
前記上半身部は、収納部が設けられた一方の上半身ボードと収納部が設けられた他方の上半身ボードの２枚のボードの背面の両側部と上部とが接続部材によって互いに接続されており、かつ、前記一方の上半身ボードと前記他方の上半身ボードとの間の前記接続部材によって囲まれた空間に上半身補強芯挿入部が設けられており、
前記下半身部は、一方の下半身ボードと他方の下半身ボードの２枚のボードの背面の両側部と底部とが前記接続部材によって互いに接続されており、かつ、前記一方の下半身ボードと前記他方の下半身ボードとの間の、前記接続部材によって囲まれた空間に、前記上半身補強芯挿入部と連通する下半身補強芯挿入部が設けられており、
前記足部は、幅方向に延びる柱状をしており、奥行き方向に切断した断面が台形をしており、前記台形の上底部分から下底に向かって、溝が形成された形状をしており、
前記上半身補強芯と前記下半身補強芯は、それぞれ板状をしており、
前記上半身部と前記下半身部とを重ねたときの前記上半身部と前記下半身部との接合面よりも、前記下半身補強芯挿入部に前記下半身補強芯を挿入した状態で前記下半身補強芯に前記上半身補強芯を重ねたときの前記下半身補強芯と前記上半身補強芯との当接面のほうが下になっている、什器。
【請求項２】
前記下半身補強芯の高さは、前記下半身補強芯挿入部の深さよりも小さくなっており、前記上半身補強芯の高さは、前記下半身補強芯挿入部の深さと前記下半身補強芯の高さとの差よりも大きく、前記下半身補強芯挿入部の深さと前記下半身補強芯の高さとの差と前記上半身補強芯挿入部の深さとの和以下であり、前記上半身補強芯と前記下半身補強芯の幅と奥行きは、前記上半身補強芯挿入部と前記下半身補強芯挿入部の奥行きと幅とそれぞれ等しい、請求項１に記載の什器。
【請求項３】
前記収納部は合成樹脂製であり、前記収納部以外の部分は紙製である、請求項１または２に記載の什器。
【請求項４】
前記足部、前記上半身補強芯、および前記下半身補強芯のいずれか、またはすべて中空である、請求項１から３のいずれか１項に記載の什器。
【請求項５】
前記足部の斜面と底面との間に切欠き部が設けられている請求項１から４のいずれか１項に記載の什器。
【請求項６】
一方の上半身ボードと他方の上半身ボードの前記収納部が設けられる領域に、デザインボードが設けられ、前記デザインボードは、前記下半身部側では厚く、前記下半身部から離れるにつれて薄くなっている、請求項１から５のいずれか１項に記載の什器。
【請求項７】
前記収納部は前記什器から着脱可能である、請求項１から６のいずれか１項に記載の什器。
【請求項８】
前記上半身補強芯と前記下半身補強芯の代わりに、前記上半身補強芯と前記下半身補強芯とが結合された、１つの結合補強芯を用いる、請求項１から７のいずれか１項に記載の什器。
【発明の詳細な説明】
【技術分野】
【０００１】
本発明は、携帯機器のモックアップやカタログを設置するための什器に関する。
【背景技術】
【０００２】
家電量販店などにおいて、携帯電話機などの携帯機器のモックアップや商品のカタログなどが什器に設置されている。什器にモックアップやカタログが設置されていることで来店客にとってモックアップやカタログが見やすく、そして手に取りやすくなっている。
【０００３】
例えば特許文献１などには、カタログと、部屋の照明を点灯または消灯するときに押すスイッチやコンセントの差込み口などのモックアップとが設置される什器が開示されている。
【先行技術文献】
【特許文献】
【０００４】
【特許文献１】特開２０１０−８２１５４号公報
【発明の概要】
【発明が解決しようとする課題】
【０００５】
しかしながら、特許文献１に記載の什器は、台の上などに配置される小型の什器であり、家電量販店の店頭などに設置されている大型の什器のように、携帯機器のモックアップやカタログを多数配置することはできない。
【０００６】
また、携帯機器などの広告には、芸能人などのイメージキャラクタが使用されている場合が多い。イメージキャラクタの等身大パネルを設置することで、アイキャッチ効果を得られる。一方で、等身大パネルには、携帯機器のモックアップを設置可能なほど強度がないため、携帯機器のモックアップを等身大パネルに設置することができない。そのため、等身大パネルのみでは携帯機器に対する訴求効果が低く、等身大パネルと什器とを隣接して設置しなくてはならず、広い設置場所が必要となる。
【０００７】
携帯機器のモックアップが配置される大型の什器では、イメージキャラクタの等身大パネルに比べると、アイキャッチ効果は低く、また、他のディスプレイとの差別化が困難である。さらに、携帯機器のモックアップが設置される大型の什器は、幅が１ｍ程度の木製、あるいは樹脂製であり、大きく、重量がある。そのため、手軽に設置場所を変えることができず、什器を遠距離輸送する場合には、輸送コストが大きくなっていた。
【０００８】
本発明は、等身大パネルの機能を兼ね備えた大型の什器を実現することは困難である、といった問題を解決する、什器を提供することである。
【課題を解決するための手段】
【０００９】
本発明の什器は、上半身部、下半身部、足部、上半身補強芯、および下半身補強芯を有する。上半身部は、収納部が設けられた一方の上半身ボードと収納部が設けられた他方の上半身ボードの２枚のボードの背面の両側部と上部とが接続部材によって互いに接続されており、かつ、一方の上半身ボードと他方の上半身ボードとの間の接続部材によって囲まれた空間に上半身補強芯挿入部が設けられている。下半身部は、一方の下半身ボードと他方の下半身ボードの２枚のボードの背面の両側部と底部とが接続部材によって互いに接続されており、かつ、一方の下半身ボードと他方の下半身ボードとの間の、接続部材によって囲まれた空間に、上半身補強芯挿入部と連通する下半身補強芯挿入部が設けられている。足部は、幅方向に延びる柱状をしており、奥行き方向に切断した断面が台形をしており、台形の上底部分から下底に向かって、溝が形成された形状をしている。上半身補強芯と下半身補強芯は、それぞれ板状をしている。上半身部と下半身部とを重ねたときの上半身部と下半身部との接合面よりも、下半身補強芯挿入部に下半身補強芯を挿入した状態で下半身補強芯に上半身補強芯を重ねたときの下半身補強芯と上半身補強芯との当接面のほうが下になっている。
【発明の効果】
【００１０】
等身大パネルによるアイキャッチ効果と、携帯機器のモックアップ展示による携帯機器への訴求効果を同時に得ることができる。
【図面の簡単な説明】
【００１１】
【図１】本発明に係る什器の一実施形態の外観概略図である。
【図２】図１の什器のＡＡ断面の概略図である。
【図３】モックアップ収納部の正面概略図である。
【図４】カタログ収納部の正面概略図である。
【発明を実施するための形態】
【００１２】
以下に、添付の図面に基づき、本発明の実施の形態を説明する。なお、同一の機能を有する構成には添付図面中、同一の番号を付与し、その説明を省略することがある。
【００１３】
図１に、本発明に係る什器の一実施形態の外観概略図、図２に、図１の什器のＡＡ断面の概略図を示す。また、図３に、モックアップ収納部の正面概略図、図４にカタログ収納部の正面概略図を示す。
【００１４】
本発明の什器１は、上半身部２、下半身部３、足部４、上半身補強芯５、および下半身補強芯６の５つの部材で構成されている。上半身部２と下半身部３とを繋ぎ合わせることで、イメージキャラクタの等身大パネルとなる。
【００１５】
以下に各部材の説明をする。
【００１６】
上半身部２は、携帯電話機などの携帯機器のモックアップを収納するモックアップ収納部７が設置されている上半身モックアップ側ボード（一方の上半身ボード）８と、携帯機器のカタログを収納するカタログ収納部９が設置されている上半身カタログ側ボード（他方の上半身ボード）１０とを有している。そして、この上半身モックアップボード８と上半身カタログボード１０の背面の両側部と上部が接続部材１７によって互いに接続され、空間が形成されている。つまり、上半身部２の下半身部３側の端に開口が形成され、この開口から上半身部２の内部に中空部が形成されている。この中空部は、後述する上半身補強芯５の挿入部１４となる。
【００１７】
上半身モックアップボード８と上半身カタログボード１０との間隔は、後述する上半身補強芯５や下半身補強芯６の奥行きと同程度が好ましい。また、上半身部２は、モックアップボード８とカタログボード１０はアクリル樹脂などの合成樹脂製であり、それ以外は紙製である。なお、モックアップ収納部７とカタログ収納部９はモックアップボード８とカタログボード１０とにそれぞれ固定されていても、着脱可能になっていても構わない。
【００１８】
また、上半身モックアップ側ボード８のモックアップ収納部７が設置される位置や、上半身カタログ側ボード１０のカタログ収納部９が設置される位置には、ＰＯＰ（Ｐｏｉｎｔ ｏｆ ｐｕｒｃｈａｓｅ ａｄｖｅｒｔｉｓｉｎｇ）などを飾ったり、文字や絵がデザインされたデザインボード１３が設けられることが好ましい。ちなみに、デザインボード１３は、下半身部３側では厚く、下半身部３から離れるにつれて薄くなることが好ましい。また、モックアップ収納部７とカタログ収納部９は複数のモックアップやカタログが収納できるのが好ましく、上半身部２の高さ方向に、複数並べて配置してもよい。
【００１９】
上半身部２のサイズの一例としては、高さ８８０ｍｍ、幅５８０ｍｍ、奥行き（上半身モックアップ側ボード８と上半身カタログ側ボード１０との間隔、つまり上半身補強芯挿入部１４の奥行き）５０ｍｍ、デザインボード１３の高さ４５０ｍｍ、幅５２０ｍｍである。
【００２０】
モックアップ収納部７のサイズの一例としては、高さ６０ｍｍ、幅３６０ｍｍであり、高さ３０ｍｍ、幅６０ｍｍの区画が６つ設けられている。また、カタログ収納部９のサイズの一例としては、高さ１００ｍｍ、幅４８０ｍｍであり、高さ７０ｍｍ、幅１２０ｍｍの区画が４つ設けられている。
【００２１】
下半身部３は、下半身モックアップボード（一方の下半身ボード）１１と下半身カタログボード（他方の下半身ボード）１２とを有している。そして、この下半身モックアップボード１１と下半身カタログボード１２の背面の両側部と下部が接続部材１７によって互いに接続され、空間が形成されている。つまり、下半身部３の上半身部２側の端に開口が形成され、この開口から下半身部３の内部に中空部が形成されている。この中空部は、後述する下半身補強芯６の挿入部１５となる。下半身モックアップボード１１と下半身カタログボード１２との間隔は、後述する上半身補強芯５や下半身補強芯６の奥行きと同程度が好ましい。また、下半身部３は、紙製のボードで形成されている。下半身モックアップボード１１や下半身カタログボード１２にアクリル樹脂などの合成樹脂製の板を設けて、下半身モックアップボード１１や下半身カタログボード１２と合成樹脂板との間にポスターなどを挿入可能にしてもよい。なお、下半身部３は、上半身部２と同様に、紙製である。
【００２２】
下半身部３のサイズの一例としては、高さ８８０ｍｍ、幅５８０ｍｍ、奥行き（下半身モックアップ側ボード１１と下半身カタログ側ボード１２との間隔）５０ｍｍである。
【００２３】
なお、上半身部２と下半身部３とを重ねると、上半身補強芯挿入部１４と下半身補強芯挿入部１５とは連通するようになっている。
【００２４】
足部４は、幅方向に延びる柱状をしており、奥行き方向に切断した断面が、台形の上底部分から下底に向かって、上記の下半身部３が挿入される溝２０が形成された形状をしている。また、図１に示すように、斜面１８と底面１９との間に切欠き部１６を設けることがより好ましい。このようにすることで、来店客がカタログやモックアップの近くまで近づいても、足部４が邪魔にならない。なお、足部４は、紙製であるが、中実、中空どちらでも構わない。足部４の斜面１８には、メーカ名やキャッチコピーなどの文字やイラストを設けることができるので、来店客の目を引くことができる。
【００２５】
足部４のサイズの一例としては、高さ２００ｍｍ、幅５８０ｍｍ、奥行き４５０ｍｍであり、奥行き方向の断面形状の斜辺と底辺の間に高さ方向に延びる辺の長さは５０ｍｍである。また、斜辺と下底とのなす角は４５°である。
【００２６】
上半身補強芯５は、上半身部２を補強しつつ、上半身部２と下半身部３との連結を補助するものである。上半身補強芯５は、板状をしている。上半身補強芯５は、厚みを有する紙製のボードでも、紙製のボードを折り曲げて、中空の上半身補強芯５を形成しても構わない。
【００２７】
下半身補強芯６は、下半身部３を補強するものである。下半身補強芯６は、板状をしている。下半身補強芯６は、厚さが大きい紙製のボードでも、薄い紙製のボードを折り曲げて、中空の下半身補強芯６を形成しても構わない。
【００２８】
上半身補強芯５と下半身補強芯６のサイズを説明する。下半身補強芯挿入部１５に下半身補強芯６を挿入した状態で下半身補強芯６に上半身補強芯５を重ねたときの下半身補強芯６と上半身補強芯５との当接面のほうが、上半身部２と下半身部３とを重ねたときの上半身部２と下半身部３との接合面よりも下になっている。
【００２９】
より具体的に説明する。上半身補強芯５と下半身補強芯６の高さの合計は、上半身補強芯挿入部１４と下半身補強芯挿入部１５の深さの合計と等しいか、小さく、また、下半身補強芯６の高さは、下半身補強芯挿入部１５の深さよりも小さい。このことより、上半身補強芯５の高さは、下半身補強芯挿入部１５の深さと下半身補強芯６の高さとの差よりも大きく、下半身補強芯挿入部１５の深さと下半身補強芯６の高さとの差と上半身補強芯挿入部１４の深さとの和以下である。なお、上半身補強芯５と下半身補強芯６の幅と奥行きは、上半身補強芯挿入部１４や下半身補強芯挿入部１５の奥行きや幅と等しくすることが好ましい。
【００３０】
なお、上半身補強芯５と下半身補強芯６とを結合して、１つの結合補強芯としても構わない。この場合、結合補強芯の高さは、上半身補強芯５の高さと下半身補強芯６との和である。
【００３１】
次に、実際に什器１を組み立てる流れを説明する。
【００３２】
足部４の溝２０に下半身部３を挿入する。そして、下半身部３の開口を介して下半身補強芯挿入部１５に下半身補強芯６を挿入し、続けて上半身補強芯５を挿入する。これにより、下半身補強芯６と上半身補強芯５とが高さ方向に並び、かつ、下半身部３から上半身補強芯５が突出した状態になる。この状態で、下半身部３から突出している上半身補強芯５に、上半身部２の上半身補強芯挿入部１４を差し込む。モックアップ収納部７とカタログ収納部９とが着脱式の場合は、それぞれをモックアップボード８とカタログボード１０とに設置して、本発明の什器１の組み立てが完成する。
【００３３】
本発明の什器は、等身大パネルと携帯機器のモックアップやカタログを配置する什器の機能を兼ね備えることにより、アイキャッチ効果が得られると共に、携帯機器への訴求効果も得ることができる。
【００３４】
また、モックアップ収納部７やカタログ収納部９のみがアクリル樹脂などの合成樹脂製で、それ以外の部分はすべて紙製であるため、従来の什器に比べて重量やコストの削減が可能である。
【００３５】
さらに、従来の什器に比べて本発明の什器１はコストが大幅に低く抑えられるため、携帯機器の新しいモデルが発売されるシーズンごとに、什器１のモデルの服装、モックアップやカタログの展示内容、そして、什器１の全体的なデザインを刷新することがコスト的に可能となり、その結果、什器１が設置してある店舗では、常に新鮮な雰囲気がかもし出される。また、短期間で什器１がモデルチェンジするので、アイキャッチ効果がさらに得やすくなり、来店客に製品に対する興味や関心をもってもらいやすくなる。また、等身大パネルと什器を並べて設置する必要がなくなるので、設置場所の面積を抑えることができる。
【００３６】
なお、上記の説明は本発明の一例であって、什器１のモデルは人物でなくても構わず、什器１の各部材のサイズ等は適宜変更可能であり、電化製品や化粧品などの様々な商品向けの什器にも適用可能である。
【符号の説明】
【００３７】
１  什器
２  上半身部
３  下半身部
４  足部
５  上半身補強芯
６  下半身補強芯
７  モックアップ収納部
８  上半身モックアップ側ボード
９  カタログ収納部
１０上半身カタログ側ボード
１１下半身モックアップ側ボード
１２下半身カタログ側ボード
１３デザインボード
１４上半身補強芯挿入部
１５下半身補強芯挿入部
１６切欠き部
１７接続部材
１８斜面
１９底面
２０溝
【図１】
2012090793.tif 000003
【図２】
2012090793.tif 000004
【図３】
2012090793.tif 000005
【図４】
2012090793.tif 000006